(57)【要約】      （修正有）【課題】互いに波長が相違する第１波長の第１レーザ光及び第２波長の第２レーザ光を立ち上げ用反射ミラーに１／４波長板の位相差機能を持たせ、反射ミラーの反射率と位相差機能とを両立する。【解決手段】ビームスプリッタ７の反射膜８により発生する第１レーザ光及び第２レーザ光のそれぞれの位相差と立ち上げ用反射ミラー１１の反射膜により発生する前記第１レーザ光及び前記第２レーザ光のそれぞれの位相差とにより前記第１レーザ光及び前記第２レーザ光にそれぞれ略１／４波長の位相差を発生させるようにしている。これにより第１レーザ光及び第２レーザ光の各レーザ波長に対する位相差の設定を前記ビームスプリッタ７の反射膜８及び前記反射ミラー１１の反射膜の両方で調整可能としている。【選択図】図１
2010238274.tif 000002
【特許請求の範囲】
【請求項１】
互いに波長が相違する第１波長の第１レーザ光及び第２波長の第２レーザ光をそれぞれ発光する第１レーザ光源及び第２レーザ光源を備え、前記第１レーザ光及び前記第２レーザ光が共通光路を介して反射ミラーにより光軸を曲げられて対物レンズに導かれ、光記録媒体に前記第１レーザ光及び前記第２レーザ光が照射される構成の光ピックアップ装置において、前記第１レーザ光及び前記第２レーザ光の共通光路に前記第１レーザ光源及び第２レーザ光源と光記録媒体により反射される前記第１レーザ光及び前記第２レーザ光をそれぞれ受光する光検出器とを別光路に分岐するビームスプリッタが設置され、前記第１レーザ光源及び第２レーザ光源を前記ビームスプリッタの反射面側に配置して前記ビームスプリッタの反射膜により前記第１レーザ光及び前記第２レーザ光にそれぞれレーザ波長に応じた位相差を発生させると共に、前記反射ミラーに形成される反射膜により前記第１レーザ光及び前記第２レーザ光にそれぞれレーザ波長に応じた位相差を発生させ、前記ビームスプリッタの反射膜により発生する前記第１レーザ光及び前記第２レーザ光のそれぞれの位相差と前記反射ミラーの反射膜により発生する前記第１レーザ光及び前記第２レーザ光のそれぞれの位相差とにより前記第１レーザ光及び前記第２レーザ光にそれぞれ略１／４波長の位相差を発生させるようにしたことを特徴とする光ピックアップ装置。
【請求項２】
前記第１レーザ光源及び前記第２レーザ光源は同一のパッケージに組み込まれるマルチレーザユニットに備えられることを特徴とする請求項１記載の光ピックアップ装置。
【請求項３】
第１レーザ光源及び第２レーザ光源からそれぞれ発光される第１レーザ光及び第２レーザ光を前記ビームスプリッタを透過して受光するフロントモニタ受光検出器を配置し、前記フロントモニタ受光検出器により前記第１レーザ光及び前記第２レーザ光の各レーザ光量に対応する受光出力を発生させることを特徴とする請求項１記載の光ピックアップ装置。
【請求項４】
前記ビームスプリッタの反射膜により発生する前記第１レーザ光及び前記第２レーザ光のそれぞれの位相差を基準にして前記第１レーザ光及び前記第２レーザ光の光記録媒体に到達するそれぞれの位相差が第１レーザ光源及び第２レーザ光源からそれぞれ発光される第１レーザ光及び第２レーザ光に対してそれぞれ略１／４波長となるように前記反射ミラーの反射膜により前記第１レーザ光及び前記第２レーザ光に発生する位相差を設定したことを特徴とする請求項１記載の光ピックアップ装置。
【請求項５】
前記ビームスプリッタに入射される第１レーザ光及び第２レーザ光の直線偏光方向を前記ビームスプリッタの反射面の傾き方向に対して略４５度に設定すると共に、前記反射ミラーに入射される第１レーザ光及び第２レーザ光の楕円偏光の長軸方向を前記反射ミラーの反射面の傾き方向に対して略４５度に設定し、かつ前記ビームスプリッタに入射されるレーザ光の光軸と前記反射ミラーから出射されるレーザ光の光軸とが互いに略直交するように前記ビームスプリッタの反射面及び前記反射ミラーの反射面の向きを設定したことを特徴とする請求項１記載の光ピックアップ装置。
【発明の詳細な説明】
【技術分野】
【０００１】
本発明は、波長の異なる第１レーザ光及び第２レーザ光を共通光路を介して反射ミラーにより光軸を曲げて対物レンズに導いて光記録媒体に照射する構成であり、第１レーザ光源及び第２レーザ光源からそれぞれ発光される直線偏光の第１レーザ光及び第２レーザ光を円偏光の第１レーザ光及び第２レーザ光として記録媒体に照射する光ピックアップ装置に関する。
【背景技術】
【０００２】
ＤＶＤ(Digital Versatile Disc)やＣＤ（Compact Disc）の光ディスク等の光記録媒体に対してレーザ光を用いて光学的に信号の記録再生を行う光ピックアップ装置において、単一の光ピックアップ装置によって記録密度が異なるＤＶＤ及びＣＤに対応させたものが知られている。
【０００３】
このようなＤＶＤ及びＣＤ対応の光ピックアップ装置は、ＤＶＤに適合する赤色波長帯６４５ｎｍ〜６７５ｎｍのレーザ光を発光する第１レーザ光源を備えると共に、ＣＤに適合する赤外波長帯７６５ｎｍ〜８０５ｎｍのレーザ光を発光する第２レーザ光源を備え、光ディスクに応じて使用するレーザ光を切り換えるようになっている。
【０００４】
前記第１レーザ光源及び前記第２レーザ光源は、一般にそれぞれレーザダイオードの半導体レーザにより構成され、各レーザ光源が単一のレーザチップに構成されることにより、あるいは各レーザ光源が別々のレーザチップに構成されて同一の半導体ベースに設置されることにより単一のパッケージに組み込まれたマルチレーザユニットが採用される場合が多い。
【０００５】
また、ＤＶＤ及びＣＤ対応の光ピックアップ装置は、入射面に輪帯状の回折格子が形成される対物レンズを使用し、この回折格子による各光ディスクに適合する波長の各レーザ光の回折によりＤＶＤ及びＣＤの各光ディスクに対して球面収差を補正して各光ディスクに照射される各レーザ光の品質を確保して、単一の対物レンズにより対応させることが行われている。
【０００６】
ＤＶＤ及びＣＤ対応の光ピックアップ装置は、上述したマルチレーザユニット及び単一の対物レンズを採用することにより光学経路の簡略化が図られる。
【０００７】
ところで、光ピックアップ装置においては、光ディスクの透明基板樹脂の複屈折による悪影響を軽減するために光ディスクの信号層上に照射されるレーザ光を円偏光とすることが行われる。
【０００８】
光ディスクの記録再生に使用される光ピックアップ装置のレーザ光源である半導体レーザは、その構造から直線偏光のレーザ光を発光するので、光ピックアップ装置は光ディスクに照射するレーザ光を円偏光とするためにレーザ光源から発光されたレーザ光に１／４波長の位相差を発生させる１／４波長板を必要とする。
【０００９】
また、光ピックアップ装置は１／４波長板により、レーザ光源からのレーザ光を光ディスクに導く往路と光ディスクにより反射されたレーザ光を光検出器に導く復路とでレーザ光の直線偏光方向を９０度相違させることが出来るので、偏光ビームスプリッタを用いてレーザ光の利用効率を高くしてレーザ光源と光検出器とを別光路に配置することが出来る。
【００１０】
従来、ＤＶＤ及びＣＤ対応の波長の異なる２組のレーザ光源を備え、各レーザ光源から発光される各レーザ光を共通光路に導き共通の対物レンズを介して各光ディスクに対応させた光ピックアップ装置において、往路上で対物レンズの手前に配置される立ち上げ用反射ミラーに１／４波長板の機能を持たせてＤＶＤ及びＣＤ対応の各波長のレーザ光を円偏光にして光ディスクに照射する構成が知られている。（特許文献１参照）
【先行技術文献】
【特許文献】
【００１１】
【特許文献１】特開２００８−２５１１１２号公報
【発明の概要】
【発明が解決しようとする課題】
【００１２】
上記特許文献１に示される光ピックアップ装置は、立ち上げ用反射ミラーに１／４波長板の機能を持たせることにより光学部品の点数が減り、組み立て工数、小型化に有利であるが、前記立ち上げ用反射ミラーによりＤＶＤ及びＣＤ対応の各波長のレーザ光に対して１／４波長の位相差を発生させる必要がある。その為、立ち上げ用反射ミラーにＤＶＤ及びＣＤ対応の各波長のレーザ光に対応する広帯域の１／４波長板の位相差機能を持たせる必要があり、前記反射ミラーの反射率と位相差機能とを両立する反射膜の形成が困難であったり、あるいは前記反射ミラーの反射面に広帯域の１／４波長板の位相差膜をコーティングで形成するのではなく接着して設ける必要がありこの場合コスト面で不利であった。
【課題を解決するための手段】
【００１３】
本発明は、互いに波長が相違する第１レーザ光及び第２レーザ光の共通光路に第１レーザ光源及び第２レーザ光源と光記録媒体により反射される前記第１レーザ光及び前記第２レーザ光をそれぞれ受光する光検出器とを別光路に分岐するビームスプリッタが設置され、前記第１レーザ光源及び第２レーザ光源を前記ビームスプリッタの反射面側に配置して前記ビームスプリッタの反射膜により前記第１レーザ光及び前記第２レーザ光にそれぞれレーザ波長に応じた位相差を発生させると共に、前記反射ミラーに形成される反射膜により前記第１レーザ光及び前記第２レーザ光にそれぞれレーザ波長に応じた位相差を発生させ、前記ビームスプリッタの反射膜により発生する前記第１レーザ光及び前記第２レーザ光のそれぞれの位相差と前記反射ミラーの反射膜により発生する前記第１レーザ光及び前記第２レーザ光のそれぞれの位相差とにより前記第１レーザ光及び前記第２レーザ光にそれぞれ略１／４波長の位相差を発生させるようにしている。これにより前記ビームスプリッタの反射膜及び前記反射ミラーの反射膜の両方でレーザ波長に対する位相差の発生を調整可能としている。
【発明の効果】
【００１４】
本発明の光ピックアップ装置は、第１レーザ光及び第２レーザ光の各レーザ波長に対する位相差の設定がビームスプリッタの反射膜及び反射ミラーの反射膜の両方で調整することが出来、各レーザ波長に対して位相差を１／４波長に設定し易い利点を有する。
【００１５】
この場合、前記ビームスプリッタの反射膜により発生する前記第１レーザ光及び前記第２レーザ光のそれぞれの位相差を基準にして前記反射ミラーの反射膜により前記第１レーザ光及び前記第２レーザ光に発生する位相差をそれぞれ略１／４波長となるように設定することにより、前記ビームスプリッタの反射膜はビームスプリッタとしての本来の光路分岐機能を優先して形成することが出来、分岐される各光路のレーザ光量比率を所望の設計値に設定するのに有利である。
【００１６】
また、第１レーザ光源及び第２レーザ光源としてマルチレーザユニットを用いることに
より、ビームスプリッタの反射膜で第１レーザ光及び第２レーザ光を反射させるように構成する光学レイアウトが容易となる。
【００１７】
また、第１レーザ光及び第２レーザ光を前記ビームスプリッタを透過してフロントモニタ受光検出器に受光させるように該フロントモニタ受光検出器を配置することにより、単一のフロントモニタ受光検出器を第１レーザ光及び第２レーザ光の両方に使用でき、効率的な光学レイアウトが可能となる。
【００１８】
また、ビームスプリッタに入射される第１レーザ光及び第２レーザ光の直線偏光方向を前記ビームスプリッタの反射面の傾き方向に対して略４５度に設定すると共に、前記反射ミラーに入射される第１レーザ光及び第２レーザ光の楕円偏光の長軸方向を前記反射ミラーの反射面の傾き方向に対して略４５度に設定し、かつ、前記ビームスプリッタに入射されるレーザ光の光軸と前記反射ミラーから出射されるレーザ光の光軸とが互いに略直交するように前記ビームスプリッタの反射面及び前記反射ミラーの反射面の向きを設定したので、ビームスプリッタの反射膜及び反射ミラーの反射膜における第１レーザ光及び第２レーザ光の位相差を効率良く発生可能であると共に、薄型化に有利な光学レイアウトが達成できる。
【図面の簡単な説明】
【００１９】
【図１】本発明に係る光ピックアップ装置の光学系の一実施例の平面を示す光学配置図である。
【図２】図２は図１のＡ−Ａ’における断面を示す光学配置図である。
【図３】光検出器のＤＶＤ受光領域及びＣＤ受光領域の各受光部を説明する説明図である。
【図４】ビームスプリッタの反射膜及び立ち上げ用反射ミラーの反射膜においてそれぞれ発生する位相差を説明する表を示す説明図である。
【図５】立ち上げ用反射ミラーの反射膜を説明する説明図である。
【発明を実施するための形態】
【００２０】
以下、本発明に係る光ピックアップ装置の実施の形態を図面を参照して詳細に説明する。
【実施例】
【００２１】
図１は本発明に係る光ピックアップ装置の光学系の一実施例の平面を示す光学配置図、図２は図１のＡ−Ａ’における断面を示す光学配置図である。
【００２２】
図示の光ピックアップ装置は、ＤＶＤの記録再生に対応すると共に、ＣＤの記録再生に対応する構成となっている。
【００２３】
レーザユニット１はＤＶＤに適した赤色波長帯６４５ｎｍ〜６７５ｎｍの第１波長、例えば６６０ｎｍの第１レーザ光を発生する第１レーザ光源２と、ＣＤに適した赤外波長帯７６５ｎｍ〜８０５ｎｍ、例えば７８４ｎｍの第２波長の第２レーザ光を発生する第２レーザ光源３とがそれぞれレーザダイオードにより同一半導体基板上に形成され、ＣＤ記録再生及びＤＶＤ記録再生に適合する２波長のレーザ光を発光する、いわゆるマルチレーザユニットになっている。
【００２４】
レーザユニット１の第１レーザ光源２及び第２レーザ光源３からそれぞれ選択的に出射される各レーザ光は、複合光学素子４に入射される。前記複合光学素子４は第１レーザ光源２及び第２レーザ光源３からそれぞれ発生されるレーザ光の各レーザ波長に対して有効な回折作用を有する回折格子５を備え、前記各レーザ光を０次回折光ビーム及び±１次回
折光ビームの３ビームに分離する。
【００２５】
また、前記複合光学素子４は１／２波長板６を備え、レーザユニット１に戻る戻り光を抑制する機能を有する。
【００２６】
前記複合光学素子４を通過したレーザ光はこのレーザ光に対して４５°傾けて配置されたプレート型のビームスプリッタ７の反射膜８により反射され、コリメータレンズ９に入射される。前記ビームスプリッタ７は、反射膜８の膜特性によって複合光学素子４を通過したレーザ光の一部を透過させてフロントモニタ受光検出器１０に導き、透過されない残りのレーザ光を反射させて主要光路に導く。
【００２７】
前記ビームスプリッタ７の反射膜８は半透過ミラー、あるいは偏光フィルタにより形成され、前記反射膜８の膜特性によって所定のレーザ光量の比率で反射するレーザ光量と透過するレーザ光量とを分配するようになっている。
【００２８】
レーザユニット１の第１レーザ光源２及び第２レーザ光源３からそれぞれ発生される各レーザ光のレーザ光量に余裕がある場合、前記反射膜８として半透過ミラーの採用が可能で前記反射膜８の設計及び形成が容易でビームスプリッタ７のコスト削減が図れる。この場合、前記反射膜８の半透過ミラー特性は反射するレーザ光量と透過するレーザ光量とを同量にする必要は無く、光ディスクに到達するレーザ光量及び後述する光検出器１６に受光されるレーザ光量を考慮して設定される。
【００２９】
一方、レーザユニット１の第１レーザ光源２及び第２レーザ光源３からそれぞれ発生される各レーザ光のレーザ光量を効率良く利用する必要がある場合、前記反射膜８として偏光フィルタを採用する。この場合、例えば、ビームスプリッタ７に第１レーザ光及び第２レーザ光をｓ偏光で入射し、ビームスプリッタ７の偏光フィルタの反射膜８はｓ偏光のレーザ光のほんの一部、例えば数％を透過させてフロントモニタ受光検出器１０に導き、レーザ光の大部分、例えば９０％以上を反射させて主要光路に導くようにする。
【００３０】
コリメータレンズ９は、ＤＶＤ適合波長のレーザ光を平行光にし、ＣＤ適合波長のレーザ光の広がり角を狭める。前記コリメータレンズ９を通過したレーザ光は、立ち上げ用反射ミラー１１の反射膜１２により反射されてレーザ光の光軸が折曲され、レーザユニット１から出射される各レーザ光の光軸及び光検出器１６に受光されるディスクＤからの反射光の光軸に対して略垂直の光軸となり、対物レンズ１３に入射される。
【００３１】
前記対物レンズ１３は入射面に光軸を中心とした輪帯状回折構造が形成され、この回折構造による回折作用により所定次数の回折光がＤＶＤ，ＣＤの各光ディスクＤの透明基板層の厚みに対して球面収差を適切に補正して集光されるように設計された２波長対応となっており、例えば、ＤＶＤ適合波長のレーザ光に対するＮＡ（Numerical Aperture）が０．６５に、ＣＤ適合波長のレーザ光に対するＮＡが０．５１にそれぞれ設計されている。
【００３２】
その為、第１レーザ光源２からのＤＶＤ適合波長のレーザ光は、対物レンズ１３によりＤＶＤの透明基板層の厚みに適合して集光されてＤＶＤの信号層に照射され、第２レーザ光源３からのＣＤ適合波長のレーザ光は、対物レンズ１３によりＣＤの透明基板層の厚みに適合して集光されてＣＤの信号層に照射される。
【００３３】
このような光学系によりレーザユニット１の第１レーザ光源２及び第２レーザ光源３からそれぞれ発生されるＤＶＤ適合波長のレーザ光及びＣＤ適合波長のレーザ光は、単一の対物レンズ１３に入射され、該対物レンズ１３がフォーカス方向及びトラッキング方向に駆動されることによりＤＶＤあるいはＣＤの光ディスクＤの信号層に合焦されると共に、
所定の信号トラックに追従されるように照射される。
【００３４】
ところで、ビームスプリッタ７の反射膜８により反射される第１レーザ光及び第２レーザ光はそれぞれレーザ波長に応じた位相差が発生され、また、立ち上げ用反射ミラー１１の反射膜１２により反射される第１レーザ光及び第２レーザ光はそれぞれレーザ波長に応じた位相差が発生される。前記第１レーザ光及び前記第２レーザ光のそれぞれの位相差が前記ビームスプリッタ７の反射膜８により発生する位相差と前記反射ミラー１１の反射膜１２により発生する位相差とにより合成されてそれぞれ略１／４波長となるように、前記ビームスプリッタ７の反射膜８及び前記反射ミラー１１の反射膜１２はそれぞれの位相特性が設定されている。その為、光ディスクＤに照射される第１レーザ光及び第２レーザ光はいずれも円偏光となる。
【００３５】
光ディスクＤの信号層に照射されたレーザ光は前記信号層により変調されて反射され、対物レンズ１２に戻り、来た光路を逆向きに戻されてビームスプリッタ７に至る。前記ビームスプリッタ７に戻されたレーザ光は、このビームスプリッタ７を透過し、その後、光ディスクＤに照射されるレーザ光のフォーカスエラー成分となる非点収差を付与する第１プレート１４を透過し、更にビームスプリッタ７を透過する際に発生される有害な非点収差を補正するように傾けて配置された第２プレート１５を介して光検出器１６に導かれる。
【００３６】
ここで、ビームスプリッタ７の反射膜８が半透過ミラーである場合、光検出器１６に到達するレーザ光はレーザユニット１側に戻される損失分が大きくなるが、第１レーザ光源２及び第２レーザ光源３から出射される各レーザ光量の大きさ、光路損失及び光検出器１６の受光感度によって実用上問題とならないレーザ光量が確保される。また、この場合、複合光学素子４によりレーザユニット１への戻り光が抑制され、第１レーザ光及び第２レーザ光のノイズが増加するのが防止されている。
【００３７】
一方、ビームスプリッタ７の反射膜８が偏光フィルタである場合、前記反射膜８に到達するレーザ光は光ディスクＤへの往路と復路で立ち上げ用反射ミラー１１の反射膜１２により２度反射されると共に、往路で前記反射膜８により１度反射されている。その為、往路と復路で第１レーザ光及び第２レーザ光の直線偏光方向が９０度回転されるには、前記反射膜８を反射することにより発生する位相差分不足するが、光ディスクＤへの往路でｓ偏光の直線偏光であったレーザ光が復路でｐ偏光成分を多く含む楕円偏光となって前記反射膜８に入射される。ビームスプリッタ７の反射膜８はｐ偏光のレーザ光に対して大部分を透過（９０％強）する膜特性となっていると、前記ビームスプリッタ７に戻されたｐ偏光成分を多く含む楕円偏光のレーザ光は反射膜８による反射で損失されるレーザ光量が抑制されてレーザ光量の多くが前記反射膜８を透過して光検出器１６に到達する。
【００３８】
前記光検出器１６には図３に示す如く、同一受光面にＤＶＤの記録再生に用いられるＤＶＤ受光領域２１及びＣＤの記録再生に用いられるＣＤ受光領域２２が並べて形成されており、ＤＶＤ受光領域２１にはそれぞれＤＶＤ適合波長のレーザ光の３ビーム、すなわち０次光のメインビームとこのメインビームの前後に配置される±１次回折光の前方サブビーム及び後方サブビームにそれぞれ対応してメイン受光部２１Ａ、前方サブ受光部２１Ｂ及び後方サブ受光部２１Ｃが形成されており、ＣＤ受光領域２２にはそれぞれＣＤ適合波長のレーザ光の３ビーム、すなわち０次光のメインビームとメインビームの前後に配置される±１次回折光の前方サブビーム及び後方サブビームにそれぞれ対応してメイン受光部２２Ａ、前方サブ受光部２２Ｂ及び後方サブ受光部２２Ｃが形成されている。
【００３９】
ＤＶＤ受光領域２１の各受光部間距離はＤＶＤの信号面上における３ビームの各光スポットの間隔に対応し、ＣＤ受光領域２２の各受光部間距離はＣＤの信号面上における３ビ
ームの各光スポットの間隔に対応する。
【００４０】
前記光検出器１５におけるＤＶＤ受光領域２１のメイン受光部２１Ａ、前方サブ受光部２１Ｂ及び後方サブ受光部２１ＣとＣＤ受光領域２２のメイン受光部２２Ａ、前方サブ受光部２２Ｂ及び後方サブ受光部２２Ｃとは、それぞれ十字状に４分割されてそれぞれ４つのセグメントにより構成されている。前記ＤＶＤ受光領域２１のメイン受光部２１Ａ、前方サブ受光部２１Ｂ及び後方サブ受光部２１Ｃには、レーザユニット１から出射された第１レーザ光が光ディスクに照射される際にそれぞれ各受光部の分割線の向きに対して有効なフォーカスエラー成分及びトラッキングエラー成分を含んだ受光スポットが受光され、前記ＣＤ受光領域２２のメイン受光部２２Ａ、前方サブ受光部２２Ｂ及び後方サブ受光部２２Ｃには、レーザユニット１から出射された第２レーザ光が光ディスクに照射される際にそれぞれ各受光部の分割線の向きに対して有効なフォーカスエラー成分及びトラッキングエラー成分を含んだ受光スポットが受光される。
【００４１】
その為、ＤＶＤ受光領域２１のメイン受光部２１Ａ、前方サブ受光部２１Ｂ及び後方サブ受光部２１Ｃを構成する各セグメントから得られる各受光出力を各種信号を得る所定の演算式に基づいて演算することによりＤＶＤの記録再生時のメイン情報信号、フォーカスエラー信号及びトラッキングエラー信号、あるいはチルトエラー信号が得られる。
【００４２】
一方、ＣＤ受光領域２２のメイン受光部２２Ａ、前方サブ受光部２２Ｂ及び後方サブ受光部２２Ｃを構成する各セグメントから得られる各受光出力を各種信号を得る所定の演算式に基づいて演算することによりＣＤの記録再生時のメイン情報信号、フォーカスエラー信号及びトラッキングエラー信号が得られる。
【００４３】
ところで、波長６６０ｎｍの第１レーザ光及び波長７８４ｎｍの第２レーザ光において、ビームスプリッタ７の反射膜８及び立ち上げ用反射ミラー１１の反射膜１２は、それぞれ例えば図４に示す表の如く位相差を発生する。
【００４４】
この場合、前記ビームスプリッタ７の反射膜８により発生する第１レーザ光及び第２レーザ光のそれぞれの位相差17.80度及び34.26度を基準にして前記第１レーザ光及び前記第２レーザ光の光ディスクＤに到達するそれぞれの位相差が第１レーザ光源２及び第２レーザ光源３からそれぞれ発光される第１レーザ光及び第２レーザ光に対してそれぞれ１／４波長（±９０度、ただし、正負は相違する回転方向を示す）となるように、図４の場合は前記反射ミラー１１の反射膜１２により前記第１レーザ光及び前記第２レーザ光に発生する位相差をそれぞれ−107.80度及び−124.26度に設定している。
【００４５】
すなわち、前記ビームスプリッタ７の反射膜８により発生する第１レーザ光及び第２レーザ光のそれぞれの位相差がθ１及びθ２である場合、前記反射ミラー１１の反射膜１２により前記第１レーザ光及び前記第２レーザ光に発生させる位相差をそれぞれＸ１及びＸ２とすると、θ１＋Ｘ１＝±９０度、及びθ２＋Ｘ２＝±９０度を満足するように前記ビームスプリッタ７の反射膜８による位相差θ１及びθ２と前記反射ミラー１１の反射膜１２による位相差Ｘ１及びＸ２とが設定される。尚、前記位相差θ１及びθ２、前記位相差Ｘ１及びＸ２は正負の値を取り得ると共に、正負の符号は円偏光の旋光回転方向が時計回り及び反時計回りを示す。
【００４６】
これにより前記第１レーザ光及び前記第２レーザ光のそれぞれの位相差は、前記ビームスプリッタ７の反射膜８により発生する位相差と前記反射ミラー１１の反射膜１２により発生する位相差とにより合成されてそれぞれ１／４波長となっている。
【００４７】
ここで、前記ビームスプリッタ７の反射膜８は、所定のレーザ光量の比率で反射するレ
ーザ光量と透過するレーザ光量とを分配してレーザユニット１、フロントモニタダイオード１０及び光検出器１６を配置する各光路に分岐する本来の機能を優先させた膜特性によって形成されている。
【００４８】
一方、前記反射ミラー１１の反射膜１２の本来の機能は第１レーザ光及び第２レーザ光の光軸を折り曲げる全反射ミラーであり単機能であるので、ビームスプリッタ７の反射膜８に比べて前記反射膜１２に第１レーザ光及び第２レーザ光に対して所望の位相差を設ける方が所望の機能を持たせることが容易である。
【００４９】
一具体例として、反射ミラー１１の基材の構造材として白板ガラス（例えば、商品名：Ｂ２７０（ＳＣＨＯＴＴ社））を使用し、反射膜１２の最表面から中間層をTi3O5とSiO2の多層膜とし、この反射膜１２の膜厚と積層数を設計する事で任意の反射率と位相差を持たせる。
【００５０】
図５は立ち上げ用反射ミラー１１の反射膜１２の構成を説明する説明図であり、前記反射膜１２は前記反射ミラー１１の基材の傾斜面に反射ミラー機能膜１２ａが成膜され、その上に重ねて位相差機能膜１２ｂが成膜されて、あるいは接着されて構成される。
【００５１】
前記反射膜１２の反射ミラー機能膜１２ａ及び位相差機能膜１２ｂは、それぞれ反射ミラー機能に適したアルミニウム、クロム、ニッケルクロムなどの金属材料を、及び位相差機能に適したポリカーボネート、ポリビニルアルコール、環状オレフェンポリマー、ノルボルネン系や液晶コーティングタイプの有機材料を、例えば物理的気相成長法（ＰＶＤ）の真空蒸着法やスパッタリング法による薄膜製造技術により形成され、あるいは化学的気相成長法（ＣＶＤ）による薄膜製造技術により形成される。
【００５２】
また、前記反射膜１２の形成としては、塗布型位相差板材料を塗布して熱処理する方法、及び反射ミラー１１の基材表面の鏡面に位相差フィルム（１／４波長板フィルム）を接着することも考えられる。
【００５３】
また、ビームスプリッタ７の反射膜８も立ち上げ用反射ミラー１１の反射膜１２と同様に、例えばＰＶＤの真空蒸着法やスパッタリング法により形成され、あるいはＣＶＤにより形成される。
【００５４】
ところで、ビームスプリッタ７に入射される第１レーザ光及び第２レーザ光の直線偏光方向は１／２波長板６による第１レーザ光及び第２レーザ光の直線偏光方向の回転方向を考慮してレーザユニット１の回転方向の向きを設定することにより前記ビームスプリッタ７の反射膜８表面である反射面の傾き方向に対して略４５度に設定されると共に、立ち上げ用反射ミラー１１に入射される第１レーザ光及び第２レーザ光の楕円偏光の長軸方向は前記反射ミラー１１の反射膜１２表面である反射面の傾き方向に対して略４５度に設定される。
【００５５】
また、前記ビームスプリッタ７に入射されるレーザ光の光軸と前記反射ミラー１１から出射されるレーザ光の光軸とが互いに略直交するように前記ビームスプリッタ７の反射面及び前記反射ミラー１１の反射面の向きが設定されている。
【００５６】
このような前記ビームスプリッタ７と前記反射ミラー１１との位置関係により薄型化に適した光学レイアウトとした上で、ビームスプリッタ７の反射膜８及び反射ミラー１１の反射膜１２において第１レーザ光及び第２レーザ光は効率良く位相差が発生される光学レイアウトとなる。
【００５７】
尚、前述の実施例においては、２波長対応のマルチレーザユニット１を用いた例を示しているが、波長が相違する複数のレーザ光を光ディスクへの往路上の共通光路に導いてその共通光路上に配置される各レーザ光に対してそれぞれ回折作用を有する回折格子を通過させる構成とすれば良く、ビームスプリッタ７とは別のビームスプリッタを用いて第１レーザ光及び第２レーザ光をそれぞれ発光する各レーザユニットをそれぞれ別光路に配置し、往路上のビームスプリッタ７の手前で第１レーザ光及び第２レーザ光が共通光路に導いた後に前記ビームスプリッタ７に導かれる構成であっても良い。
【００５８】
また、光ピックアップ装置が３波長レーザ光対応である場合、マルチレーザユニット１として３波長対応のマルチレーザユニットを用いる構成を採用することも可能である。
【産業上の利用可能性】
【００５９】
ＤＶＤ及びＣＤに適合する光ピックアップ装置に限定されず、青紫色波長帯４００ｎｍ〜４２０ｎｍのレーザ光（例えば４０５ｎｍ）を用いたBlu-ray Disc（商標）規格に適合させた光ピックアップ装置においても利用可能である。
【符号の説明】
【００６０】
１        レーザユニット
２        第１レーザ光源
３        第２レーザ光源
４        複合光学素子
６        １／２波長板
７        ビームスプリッタ
８        反射膜
１０        フロントモニタ受光検出器
１１        立ち上げ用反射ミラー
１２        反射膜
１３        対物レンズ
１６        光検出器
【図１】
2010238274.tif 000003
【図２】
2010238274.tif 000004
【図３】
2010238274.tif 000005
【図４】
2010238274.tif 000006
【図５】
2010238274.tif 000007